(57)【要約】【課題】回転電気機械の制御を多様化させる。【解決手段】外側界磁巻線（23）は、固定子コア（21）において永久磁石（22）よりも径方向の外側に設けられ、直流の外側界磁電流（i23）が供給されて永久磁石（22）を通過する外側界磁磁束（M23）を発生させる。内側界磁巻線（24）は、固定子コア（21）において永久磁石（22）よりも径方向の内側に設けられ、直流の内側界磁電流（i24）が供給されて永久磁石（22）を通過する内側界磁磁束（M24）を発生させる。電機子巻線（25）は、交流の電機子電流（i25）が供給されて回転子（10）を回転させるための回転磁界を発生させる。制御部（3）は、外側界磁電流（i23）と内側界磁電流（i24）とを個別に制御する。【選択図】図１
2018174645.tif 000002
【特許請求の範囲】
【請求項１】
回転子（10）と、該回転子（10）と所定のエアギャップをおいて対向する固定子（20）とを有する回転電気機械（2）と、
制御部（3）とを備え、
上記固定子（20）は、
円環状に形成された固定子コア（21）と、
上記固定子コア（21）に設けられ、その発生磁束方向が径方向と交差するように構成された永久磁石（22）と、
上記固定子コア（21）において上記永久磁石（22）よりも上記径方向の外側に設けられ、直流の外側界磁電流（i23）が供給されて該永久磁石（22）を通過する外側界磁磁束（M23）を発生させるように構成された外側界磁巻線（23）と、
上記固定子コア（21）において上記永久磁石（22）よりも上記径方向の内側に設けられ、直流の内側界磁電流（i24）が供給されて該永久磁石（22）を通過する内側界磁磁束（M24）を発生させるように構成された内側界磁巻線（24）と、
上記固定子コア（21）に設けられ、交流の電機子電流（i25）が供給されて上記回転子（10）を回転させるための回転磁界を発生させるように構成された電機子巻線（25）とを有し、
上記制御部（3）は、上記外側界磁電流（i23）と上記内側界磁電流（i24）とを個別に制御するように構成されている
ことを特徴とする回転電気機械装置。
【請求項２】
請求項１において、
上記制御部（3）は、上記回転電気機械（2）の運転状態に応じて上記外側界磁電流（i23）と上記内側界磁電流（i24）とを個別に制御するように構成されている
ことを特徴とする回転電気機械装置。
【請求項３】
請求項１または２において、
上記制御部（3）は、上記永久磁石（22）を通過する上記外側界磁磁束（M23）の向きが該永久磁石（22）の磁束方向の逆方向となるように上記外側界磁電流（i23）を制御し、上記内側界磁磁束（M24）が発生しないように上記内側界磁電流（i24）を制御する外側磁界生成制御を行うように構成されている
ことを特徴とする回転電気機械装置。
【請求項４】
請求項３において、
上記制御部（3）は、上記回転子（10）の回転トルクが予め定められた回転トルク閾値を下回り且つ該回転子（10）の回転速度が予め定められた回転速度閾値を下回る場合に、上記外側磁界生成制御を行うように構成されている
ことを特徴とする回転電気機械装置。
【請求項５】
請求項１または２において、
上記制御部（3）は、上記外側界磁磁束（M23）が発生しないように上記外側界磁電流（i23）を制御し、上記永久磁石（22）を通過する上記内側界磁磁束（M24）の向きが該永久磁石（22）の磁束方向と同方向となるように上記内側界磁電流（i24）を制御する内側磁界生成制御を行うように構成されている
ことを特徴とする回転電気機械装置。
【請求項６】
請求項５において、
上記制御部（3）は、上記回転子（10）の回転トルクが予め定められた回転トルク閾値を上回り且つ上記永久磁石（22）の温度が予め定められた温度閾値を上回る場合に、上記内側磁界生成制御を行うように構成されている
ことを特徴とする回転電気機械装置。
【請求項７】
請求項１または２において、
上記制御部（3）は、上記永久磁石（22）を通過する上記外側界磁磁束（M23）の向きが該永久磁石（22）の磁束方向と同方向となるように上記外側界磁電流（i23）を制御し、上記永久磁石（22）を通過する上記内側界磁磁束（M24）の向きが該永久磁石（22）の磁束方向と同方向となるように上記内側界磁電流（i24）を制御する順磁界生成制御を行うように構成されている
ことを特徴とする回転電気機械装置。
【請求項８】
請求項１または２において、
上記制御部（3）は、上記永久磁石（22）を通過する上記外側界磁磁束（M23）の向きが該永久磁石（22）の磁束方向の逆方向となるように上記外側界磁電流（i23）を制御し、上記永久磁石（22）を通過する上記内側界磁磁束（M24）の向きが該永久磁石（22）の磁束方向の逆方向となるように上記内側界磁電流（i24）を制御する逆磁界生成制御を行うように構成されている
ことを特徴とする回転電気機械装置。
【請求項９】
請求項８において、
上記制御部（3）は、上記回転子（10）の回転トルクが予め定められた回転トルク閾値を下回り且つ該回転子（10）の回転速度が予め定められた回転速度閾値を上回る場合に、上記逆磁界生成制御を行うように構成されている
ことを特徴とする回転電気機械装置。
【発明の詳細な説明】
【技術分野】
【０００１】
この発明は、回転電気機械を備えた回転電気機械装置に関する。
【背景技術】
【０００２】
従来、電動機や発電機などの回転電気機械が知られている。また、回転電気機械の一種である電動機の中には、ハイブリッド界磁フラックススイッチングモータ（HEFSM）と呼ばれる電動機がある。この電動機（HEFSM）では、固定子に巻線と永久磁石の両方が設けられており、永久磁石の磁束を固定子から回転子に流す運転モードがある（例えば特許文献１を参照）。特許文献１の例では、所定の巻線（界磁巻線）が永久磁石と接して設けられており、その界磁巻線への直流の通電状態を制御することによって永久磁石の磁束の流れを制御するとともに、回転磁界を形成するための巻線（電機子巻線）に交流電力を供給して回転子を回転させている。
【先行技術文献】
【特許文献】
【０００３】
【特許文献１】特開２０１３−２０１８６９号公報
【発明の概要】
【発明が解決しようとする課題】
【０００４】
しかしながら、特許文献１の電動機（回転電気機械）では、構造上、２つの運転モード（具体的には界磁巻線を通電する運転モードと界磁巻線を通電しない運転モード）しか選択することができないので、回転電気機械の制御を多様化させることが困難であった。
【０００５】
そこで、この発明は、回転電気機械の制御を多様化させることが可能な回転電気機械装置を提供することを目的とする。
【課題を解決するための手段】
【０００６】
第１の態様は、回転子（10）と、該回転子（10）と所定のエアギャップをおいて対向する固定子（20）とを有する回転電気機械（2）と、制御部（3）とを備え、上記固定子（20）は、円環状に形成された固定子コア（21）と、上記固定子コア（21）に設けられ、その発生磁束方向が径方向と交差するように構成された永久磁石（22）と、上記固定子コア（21）において上記永久磁石（22）よりも上記径方向の外側に設けられ、直流の外側界磁電流（i23）が供給されて該永久磁石（22）を通過する外側界磁磁束（M23）を発生させるように構成された外側界磁巻線（23）と、上記固定子コア（21）において上記永久磁石（22）よりも上記径方向の内側に設けられ、直流の内側界磁電流（i24）が供給されて該永久磁石（22）を通過する内側界磁磁束（M24）を発生させるように構成された内側界磁巻線（24）と、上記固定子コア（21）に設けられ、交流の電機子電流（i25）が供給されて上記回転子（10）を回転させるための回転磁界を発生させるように構成された電機子巻線（25）とを有し、上記制御部（3）は、上記外側界磁電流（i23）と上記内側界磁電流（i24）とを個別に制御するように構成されていることを特徴とする回転電気機械装置である。
【０００７】
上記第１の態様では、固定子（20）に永久磁石（22）と外側界磁巻線（23）と内側界磁巻線（24）とを設けて外側界磁巻線（23）に供給される外側界磁電流（i23）と内側界磁巻線（24）に供給される内側界磁電流（i24）とを個別に制御することにより、固定子（20）に永久磁石（22）と１種類の界磁巻線とが設けられている場合よりも、回転電気機械（2）における制御の自由度を向上させることができる。
【０００８】
第２の態様は、上記第１の態様において、上記制御部（3）が、上記回転電気機械（2）の運転状態に応じて上記外側界磁電流（i23）と上記内側界磁電流（i24）とを個別に制御するように構成されていることを特徴とする回転電気機械装置である。
【０００９】
上記第２の態様では、回転電気機械（2）の運転状態に応じて外側界磁電流（i23）と内側界磁電流（i24）とを個別に適切に制御することができる。
【００１０】
第３の態様は、上記第１または第２の態様において、上記制御部（3）が、上記永久磁石（22）を通過する上記外側界磁磁束（M23）の向きが該永久磁石（22）の磁束方向の逆方向となるように上記外側界磁電流（i23）を制御し、上記内側界磁磁束（M24）が発生しないように上記内側界磁電流（i24）を制御する外側磁界生成制御を行うように構成されていることを特徴とする回転電気機械装置である。
【００１１】
上記第３の態様では、外側磁界生成制御を行うことにより、外側界磁電流（i23）を制御して外側界磁磁束（M23）を制御することができる。また、外側界磁生成制御では、永久磁石（22）よりも径方向の内側に位置する内側界磁巻線（24）において内側界磁磁束（M24）が発生しないので、永久磁石（22）の磁束（M22）が回転子（10）におけるトルクの発生に寄与しやすくなっている。
【００１２】
第４の態様は、上記第３の態様において、上記制御部（3）が、上記回転子（10）の回転トルクが予め定められた回転トルク閾値を下回り且つ該回転子（10）の回転速度が予め定められた回転速度閾値を下回る場合に、上記外側磁界生成制御を行うように構成されていることを特徴とする回転電気機械装置である。
【００１３】
上記第４の態様では、回転子（10）の回転トルクが回転トルク閾値を下回り、且つ、回転子（10）の回転速度が回転速度閾値を下回る場合に、外側磁界生成制御を行うことにより、外側磁界生成制御を効果的に行うことができる。
【００１４】
第５の態様は、上記第１または第２の態様において、上記制御部（3）が、上記外側界磁磁束（M23）が発生しないように上記外側界磁電流（i23）を制御し、上記永久磁石（22）を通過する上記内側界磁磁束（M24）の向きが該永久磁石（22）の磁束方向と同方向となるように上記内側界磁電流（i24）を制御する内側磁界生成制御を行うように構成されていることを特徴とする回転電気機械装置である。
【００１５】
上記第５の態様では、内側磁界生成制御を行うことにより、内側界磁電流（i24）を制御して内側界磁磁束（M24）を制御することができる。内側界磁生成制御では、内側界磁磁束（M24）が永久磁石（22）に対して順磁界として作用するので、永久磁石（22）において内側界磁磁束（M24）による減磁は、発生しない。そのため、内側界磁電流（i24）を広範囲に制御することができる。
【００１６】
第６の態様は、上記第５の態様において、上記制御部（3）が、上記回転子（10）の回転トルクが予め定められた回転トルク閾値を上回り且つ上記永久磁石（22）の温度が予め定められた温度閾値を上回る場合に、上記内側磁界生成制御を行うように構成されていることを特徴とする回転電気機械装置である。
【００１７】
上記第６の態様では、回転子（10）の回転トルクが回転トルク閾値を上回り、且つ、永久磁石（22）の温度が温度閾値を上回る場合に、内側磁界生成制御を効果的に行うことができる。
【００１８】
第７の態様は、上記第１および第２の態様において、上記制御部（3）が、上記永久磁石（22）を通過する上記外側界磁磁束（M23）の向きが該永久磁石（22）の磁束方向と同方向となるように上記外側界磁電流（i23）を制御し、上記永久磁石（22）を通過する上記内側界磁磁束（M24）の向きが該永久磁石（22）の磁束方向と同方向となるように上記内側界磁電流（i24）を制御する順磁界生成制御を行うように構成されていることを特徴とする回転電気機械装置である。
【００１９】
上記第７の態様では、順磁界生成制御を行うことにより、外側界磁電流（i23）と内側界磁電流（i24）とを制御して外側界磁磁束（M23）と内側界磁磁束（M24）との合成磁束（M20）を制御することができる。また、順磁界生成制御では、外側界磁磁束（M23）および内側界磁磁束（M24）の両方が永久磁石（22）に対して順磁界として作用するので、永久磁石（22）に順磁界（比較的に大きな順磁界）を印加することができる。
【００２０】
第８の態様は、上記第１および第２の態様において、上記制御部（3）が、上記永久磁石（22）を通過する上記外側界磁磁束（M23）の向きが該永久磁石（22）の磁束方向の逆方向となるように上記外側界磁電流（i23）を制御し、上記永久磁石（22）を通過する上記内側界磁磁束（M24）の向きが該永久磁石（22）の磁束方向の逆方向となるように上記内側界磁電流（i24）を制御する逆磁界生成制御を行うように構成されていることを特徴とする回転電気機械装置である。
【００２１】
上記第８の態様では、逆磁界生成制御において外側界磁電流（i23）と内側界磁電流（i24）とを制御して外側界磁磁束（M23）と内側界磁磁束（M24）との合成磁束（M20）を制御することができる。また、逆磁界生成制御では、外側界磁磁束（M23）および内側界磁磁束（M24）の両方が永久磁石（22）に対して逆磁界として作用するので、永久磁石（22）に逆磁界（比較的に大きな逆磁界）を印加することができる。
【００２２】
第９の態様において、上記制御部（3）が、上記回転子（10）の回転トルクが予め定められた回転トルク閾値を下回り且つ該回転子（10）の回転速度が予め定められた回転速度閾値を上回る場合に、上記逆磁界生成制御を行うように構成されていることを特徴とする回転電気機械装置である。
【００２３】
上記第９の態様では、回転子（10）の回転トルクが回転トルク閾値を下回り、且つ、回転子（10）の回転速度が回転速度閾値を上回る場合に、逆磁界生成制御を効果的に行うことができる。
【発明の効果】
【００２４】
第１の態様によれば、回転電気機械（2）における制御の自由度を向上させることができるので、回転電気機械（2）の制御を多様化させることができる。
【００２５】
第２の態様によれば、回転電気機械（2）の運転状態に応じて外側界磁電流（i23）と内側界磁電流（i24）とを個別に適切に制御することができるので、回転電気機械（2）を適切に制御することができる。
【００２６】
第３および第４の態様によれば、外側界磁生成制御において外側界磁電流（i23）を制御して外側界磁磁束（M23）を制御することにより、回転子（10）において発生するトルクを制御することができる。また、外側界磁生成制御では、永久磁石（22）の磁束（M22）が回転子（10）におけるトルクの発生に寄与しやすくなっているので、回転電気機械（2）を高効率で運転することができる。
【００２７】
第５および第６の態様によれば、内側磁界生成制御において内側界磁電流（i24）を制御して内側界磁磁束（M24）を制御することにより、回転子（10）において発生するトルクを制御することができる。また、内側磁界生成制御では、内側界磁電流（i24）を広範囲に制御することができるので、回転子（10）において発生するトルクを広範囲に制御することができる。
【００２８】
第７の態様によれば、順磁界生成制御において外側界磁電流（i23）と内側界磁電流（i24）とを制御して外側界磁磁束（M23）と内側界磁磁束（M24）との合成磁束（M20）を制御することにより、回転子（10）において発生するトルクを制御することができる。また、順磁界生成制御では、永久磁石（22）に順磁界（比較的に大きな順磁界）を印加することができるので、永久磁石（22）を着磁することができる。
【００２９】
第８および第９の態様によれば、逆磁界生成制御において外側界磁電流（i23）と内側界磁電流（i24）とを制御して外側界磁磁束（M23）と内側界磁磁束（M24）との合成磁束（M20）を制御することにより、回転子（10）において発生するトルクを制御することができる。また、逆磁界生成制御では、永久磁石（22）に逆磁界（比較的に大きな逆磁界）を印加することができるので、永久磁石（22）の磁束（M22）を弱めることができる。
【図面の簡単な説明】
【００３０】
【図１】図１は、実施形態による回転電気機械装置の構成を例示する概略図である。
【図２】図２は、固定子コアの構成を例示する断面図である。
【図３】図３は、制御部の構成を例示する概略図である。
【図４】図４は、磁界停止制御における磁束の流れを例示する概略図である。
【図５】図５は、内外磁界生成制御における磁束の流れを例示する概略図である。
【図６】図６は、外側磁界生成制御における磁束の流れを例示する概略図である。
【図７】図７は、内側磁界生成制御における磁束の流れを例示する概略図である。
【図８】図８は、順磁界生成制御における磁束の流れを例示する概略図である。
【図９】図９は、逆磁界生成制御における磁束の流れを例示する概略図である。
【図１０】図１０は、制御部の動作を例示するフローチャートである。
【図１１】図１１は、制御部の変形例を例示する概略図である。
【発明を実施するための形態】
【００３１】
以下、実施の形態を図面を参照して詳しく説明する。なお、図中同一または相当部分には同一の符号を付しその説明は繰り返さない。
【００３２】
（回転電気機械装置）
図１は、実施形態による回転電気機械装置（1）の構成を例示している。この回転電気機械装置（1）は、回転電気機械（2）と制御部（3）とを備えている。この例では、回転電気機械（2）は、電動機の一種であるハイブリッド界磁フラックススイッチングモータ（HEFSM）を構成している。そして、電動機を構成する回転電気機械（2）は、例えば、自動車や空気調和装置などに用いることができ、後述する回転子（10）に設けられた駆動軸（12）によって自動車のトランスミッションや空気調和機の圧縮機などを駆動する。
【００３３】
なお、以下の説明において、軸方向とは、駆動軸（12）の軸心（P）（すなわち回転子（10）の回転中心）の方向のことであり、径方向とは、軸心（P）と直交する方向のことである。また、外周側とは、軸心（P）からより遠い側のことであり、内周側とは、軸心（P）により近い側のことである。
【００３４】
〔回転電気機械〕
回転電気機械（2）は、回転子（10）と固定子（20）とを備え、ケーシング（図示を省略）に収容されている。固定子（20）は、回転子（10）と所定のエアギャップ（G）を挟んで対向している。
【００３５】
〈回転子〉
回転子（10）は、回転子コア（11）と駆動軸（12）とを有している。回転子コア（11）は、軟磁性体によって構成されている。この例では、回転子コア（11）は、電磁鋼板をプレス加工によって打ち抜いて作製した多数のコア部材を軸方向に積層した積層コアによって構成されている。回転子コア（11）の中心部には、駆動軸（12）が挿入される貫通孔（111）が設けられている。また、回転子コア（11）には、外周側へ向けて突出する複数（この例では１０個）の突部（112）が設けられている。複数の突部（112）は、回転子コア（11）の周方向に等ピッチで並んでいる。すなわち、回転子コア（11）は、軸方向から見て歯車状に形成されている。なお、複数の突部（112）は、固定子（20）に対する回転子（10）の相対的位置により磁気抵抗を異ならせるため設けられたものである。したがって、複数の突部（112）は、必ずしも厳密に等間隔（等ピッチ）で並んでいなくてもよい。また、回転子（10）の形状（軸方向から見た場合の形状）は、歯車状となっていなくてもよい。例えば、回転子コア（11）の凹部（突部（112）の間の部分）に薄肉の回転子コアを設けて回転子（10）の形状を真円状としてもよい。
【００３６】
〈固定子〉
固定子（20）は、固定子コア（21）と、永久磁石（22）と、外側界磁巻線（23）と、内側界磁巻線（24）と、電機子巻線（25）とを有している。この例では、固定子コア（21）には、１２個の永久磁石（22）と１２個の外側界磁巻線（23）と１２個の内側界磁巻線（24）が設けられている。
【００３７】
《固定コア》
固定子コア（21）は、軟磁性体によって構成されて円環状に形成されている。この例では、固定子コア（21）は、電磁鋼板をプレス加工によって打ち抜いて作製した多数のコア部材を軸方向に積層した積層コアによって構成されている。
【００３８】
図２に示すように、固定子コア（21）は、固定子ヨーク（211）と複数（この例では２４個）のティース（212）とを有している。固定子ヨーク（211）は、円環状に形成されて固定子コア（21）の外周部を構成している。複数のティース（212）は、固定子ヨーク（211）の内周面から内周側へ向けて突出するように形成されている。また、複数のティース（212）は、軸心（P）回りに周方向に所定ピッチで配置されている。これにより、複数のティース（212）の間には、複数のスロット（213）が形成されている。
【００３９】
複数のティース（212）の間にそれぞれ形成された複数のスロット（213）は、界磁スロット（213a）と電機子スロット（213b）とに大別される。具体的には、界磁スロット（213a）は、複数のスロット（213）のうち周方向において１つ飛ばしで隣り合うスロット（213）のことであり、電機子スロット（213b）は、複数のスロット（213）のうち界磁スロット（213a）を除くスロット（213）のことである。すなわち、固定子コア（21）では、界磁スロット（213a）と電機子スロット（213b）とが周方向に交互に配置されている。この例では、固定子コア（21）には、２４個のスロット（213）が設けられており、２４個のスロット（213）のうち周方向において１つ飛ばしで隣り合う１２個のスロット（213）が１２個の界磁スロット（213a）をそれぞれ構成し、残りの１２個のスロット（213）が１２個の電機子スロット（213b）をそれぞれ構成している。
【００４０】
なお、以下の説明では、界磁スロット（213a）や電機子スロット（213b）のような複数の構成要素において特定の構成要素に着目する場合には、その構成要素の参照符号に枝番が付されている（例えば213a-1,213a-2,…など）。
【００４１】
《永久磁石》
永久磁石（22）は、固定子コア（21）に設けられ、その発生磁束方向が径方向と交差（この例では直交）するように構成されている。この例では、１２個の永久磁石（22）が１２個の界磁スロット（213a）の中央部にそれぞれ配置されている。
【００４２】
また、この例では、永久磁石（22）は、希土類元素を用いた磁石（いわゆる希土類磁石）によって構成されている。具体的には、永久磁石（22）は、ネオジムと鉄とホウ素を主成分とする希土類磁石（ネオジム-ボロン-鉄系の磁石）であって、必要に応じてジスプロシウム（Dy）やテルビウム（Tb）などの重希土類元素を粒界拡散法によって表面付近のみに含ませた（または重希土類元素を含む合金からなる）焼結磁石である。
【００４３】
また、この例では、永久磁石（22）は、その横断面（軸心（P）に直交する方向の断面、図１で見える断面）が矩形状（具体的には径方向が長辺となる矩形状）に形成され、その軸方向長さが固定子コア（21）の軸方向長さと概ね同じとなっている。すなわち、この例では、永久磁石（22）は、直方体状に形成されている。
【００４４】
また、この例では、複数の永久磁石（22）は、周方向において同じ極性の磁極面が向かい合うように複数の界磁スロット（213a）にそれぞれ配置されている。すなわち、複数の永久磁石（22）は、それぞれの発生磁化方向が周方向に沿うように磁化されており、周方向の一方側へ向けて交互に異なる極性の磁極面を向けて配置されている。
【００４５】
《外側界磁巻線》
外側界磁巻線（23）は、固定子コア（21）において永久磁石（22）よりも径方向の外側に設けられ、直流の外側界磁電流（i23）が供給されて永久磁石（22）を通過する外側界磁磁束（M23）を発生させるように構成されている。外側界磁巻線（23）は、永久磁石（22）の磁束を制御するための巻線である。
【００４６】
この例では、１２個の外側界磁巻線（23）が１２個の界磁スロット（213a）にそれぞれ収容された状態で外側界磁巻線（23）がティース（212）に巻回されている。具体的には、周方向において互いに隣り合う一対の界磁スロット（213a）によって挟まれる一対のティース（212）（以下では一対の界磁ティース（212a）とも記載する）に対して１つの外側界磁巻線（23）が巻回されている。すなわち、この例では、一対の界磁ティース（212a）を１つのティースとみなして、これに１つの外側界磁巻線（23）が集中巻で巻回されている。詳しくは、外側界磁巻線（23）は、径方向に沿う軸を巻回軸として一対の界磁ティース（212a）に巻回されている。そして、外側界磁巻線（23）は、界磁スロット（213a）において永久磁石（22）よりも径方向の外側に配置されている。
【００４７】
例えば、図１を用いて具体的に説明すると、第１外側界磁巻線（23-1）は、周方向において互いに隣り合う第１界磁スロット（213a-1）と第２界磁スロット（213a-2）との間に挟まれた第２ティース（212-2）と第３ティース（212-3）とによって構成された一対の界磁ティース（212a）に巻回されている。そして、第１外側界磁巻線（23-1）は、第１界磁スロット（213a-1）および第２界磁スロット（213a-2）において第１永久磁石（22-1）および第２永久磁石（22-2）よりも径方向の外側に配置されている。
【００４８】
なお、この例では、複数（具体的には１２個）の外側界磁巻線（23）に共通の外側界磁電流（i23）が流れるように複数の外側界磁巻線（23）が直列に接続されている。また、複数の外側界磁巻線（23）は、共通の線材（例えば１本の被覆電線）によって構成されている。具体的には、一対の界磁ティース（212a）における線材の巻回方向とその一対の界磁ティース（212a）に隣接する他の一対の界磁ティース（212a）における線材の巻回方向とが互いに逆方向となるように、複数の外側界磁巻線（23）を構成するための共通の線材が複数対の界磁ティース（212a）に連続的に巻回されている。
【００４９】
《内側界磁巻線》
内側界磁巻線（24）は、固定子コア（21）において永久磁石（22）よりも径方向の内側に設けられ、直流の内側界磁電流（i24）が供給されて永久磁石（22）を通過する内側界磁磁束（M24）を発生させるように構成されている。内側界磁巻線（24）は、永久磁石（22）の磁束を制御するための巻線である。
【００５０】
この例では、１２個の内側界磁巻線（24）が１２個の界磁スロット（213a）にそれぞれ収容された状態で内側界磁巻線（24）がティース（212）に巻回されている。具体的には、一対の界磁ティース（212a）に対して１つの内側界磁巻線（24）が巻回されている。すなわち、この例では、一対の界磁ティース（212a）を１つのティースとみなして、これに１つの内側界磁巻線（24）が集中巻で巻回されている。詳しくは、内側界磁巻線（24）は、径方向に沿う軸を巻回軸として一対の界磁ティース（212a）に巻回されている。そして、内側界磁巻線（24）は、界磁スロット（213a）において永久磁石（22）よりも径方向の内側に配置されている。
【００５１】
例えば、図１を用いて具体的に説明すると、第１内側界磁巻線（24-1）は、周方向において互いに隣り合う第１界磁スロット（213a-1）と第２界磁スロット（213a-2）との間に挟まれた第２ティース（212-2）と第３ティース（212-3）とによって構成された一対の界磁ティース（212a）に巻回されている。そして、第１内側界磁巻線（24-1）は、第１界磁スロット（213a-1）および第２界磁スロット（213a-2）において第１永久磁石（22-1）および第２永久磁石（22-2）よりも径方向の内側に配置されている。
【００５２】
なお、この例では、複数（具体的には１２個）の内側界磁巻線（24）に共通の内側界磁電流（i24）が流れるように複数の内側界磁巻線（24）が直列に接続されている。また、複数の内側界磁巻線（24）は、共通の線材（例えば１本の被覆電線）によって構成されている。具体的には、一対の界磁ティース（212a）における線材の巻回方向とその一対の界磁ティース（212a）に隣接する他の一対の界磁ティース（212a）における線材の巻回方向とが互いに逆方向となるように、複数の内側界磁巻線（24）を構成するための共通の線材が複数対の界磁ティース（212a）に連続的に巻回されている。
【００５３】
《電機子巻線》
電機子巻線（25）は、固定子コア（21）に設けられ、交流の電機子電流（i25）が供給されて回転子（10）を回転させるための回転磁界を発生させるように構成されている。すなわち、電機子巻線（25）は、回転磁界を形成するための巻線である。
【００５４】
この例では、１２個の電機子巻線（25）が１２個の電機子スロット（213b）に収納された状態で電機子巻線（25）がティース（212）に巻回されている。具体的には、周方向において互いに隣り合う一対の電機子スロット（213b）によって挟まれる一対のティース（212）（以下では一対の電機子ティース（212b）とも記載する）に対して１つの電機子巻線（25）が巻回されている。すなわち、この例では、一対の電機子ティース（212b）を１つのティースとみなして、これに１つの電機子巻線（25）が集中巻で巻回されている。詳しくは、電機子巻線（25）は、径方向に沿う軸を巻回軸として一対の電機子ティース（212b）に巻回されている。
【００５５】
例えば、図１を用いて具体的に説明すると、第１電機子巻線（25-1）は、周方向において互いに隣り合う第１電機子スロット（213b-1）と第２電機子スロット（213b-2）との間に挟まれた第１ティース（212-1）と第２ティース（212-2）とによって構成された一対の電機子ティース（212b）に巻回されている。
【００５６】
この例では、１２個の電機子巻線（25）に三相の交流電流である電機子電流（i25）が流れるように１２個の電機子巻線（25）が接続されている。すなわち、この例では、電機子巻線（25）として三相の電機子巻線が採用されている。
【００５７】
〔制御部〕
制御部（3）は、外側界磁電流（i23）と内側界磁電流（i24）と電機子電流（i25）とを制御して回転電気機械（2）の動作を制御するように構成されている。特に、制御部（3）は、外側界磁電流（i23）と内側界磁電流（i24）とを個別に制御するように構成されている。この例では、制御部（3）は、電源（31）と制御回路（32）とを有している。
【００５８】
電源（31）は、外側界磁巻線（23）と内側界磁巻線（24）と電機子巻線（25）とに対して、直流の外側界磁電流（i23）と直流の内側界磁電流（i24）と交流の電機子電流（i25）とをそれぞれ個別に供給するように構成されている。この例では、図３に示すように、電源（31）は、外側界磁電源部（311）と、内側界磁電源部（312）と、電機子電源部（313）とを有している。
【００５９】
外側界磁電源部（311）は、直列に接続された複数（この例では１２個）の外側界磁巻線（23）に対して外側界磁電流（i23）を供給するように構成されている。なお、外側界磁電源部（311）には、種々の電源を採用することが可能である。例えば、外側界磁電源部（311）としてチョッパ回路（降圧チョッパ回路，昇圧チョッパ回路，昇降圧チョッパ回路を含む）を用いることにより、外側界磁電流（i23）を容易に制御することができる。また、外側界磁電源部（311）から供給される外側界磁電流（i23）は、脈動成分を含んでいてもよい。
【００６０】
内側界磁電源部（312）は、直列に接続された複数（この例では１２個）の内側界磁巻線（24）に対して内側界磁電流（i24）を供給するように構成されている。なお、外側界磁電源部（311）と同様に、内側界磁電源部（312）には、種々の電源を採用することが可能である。例えば、内側界磁電源部（312）としてチョッパ回路（降圧チョッパ回路，昇圧チョッパ回路，昇降圧チョッパ回路を含む）を用いることにより、内側界磁電流（i24）を容易に制御することができる。また、内側界磁電源部（312）から供給される内側界磁電流（i24）は、脈動成分を含んでいてもよい。
【００６１】
電機子電源部（313）は、三相巻線が構成されるように接続された複数（この例では１２個）の電機子巻線（25）に対して三相交流の電機子電流（i25）を供給するように構成されている。なお、電機子電源部（313）には、種々の電源を採用することが可能である。例えば、電機子電源部（313）としてインバータ回路が用いられていてもよい。
【００６２】
制御回路（32）は、電源（31）を制御して回転電気機械（2）の動作を制御するように構成されている。具体的には、制御回路（32）は、回転電気機械（2）の各種パラメータを検知する各種センサ（図示を省略）の検知結果に基づいて、回転電気機械（2）の動作が所望の動作となるように電源（31）を制御する。例えば、制御回路（32）は、ＣＰＵなどの演算処理部や、演算処理部を動作させるためのプログラムや情報を記憶するメモリなどの記憶部によって構成されている。
【００６３】
この例では、制御部（3）は、磁界停止制御と、内外磁界生成制御と、外側磁界生成制御と、内側磁界生成制御と、順磁界生成制御と、逆磁界生成制御とを行うように構成されている。
【００６４】
〈磁界停止制御〉
図４に示すように、磁界停止制御では、制御部（3）は、外側界磁磁束（M23）が発生しないように外側界磁電流（i23）を制御し、内側界磁磁束（M24）が発生しないように内側界磁電流（i24）を制御する。具体的には、制御部（3）は、外側界磁電流（i23）および内側界磁電流（i24）の供給を停止する。
【００６５】
磁界停止制御では、永久磁石（22）の磁束（M22）は、図４の実線の矢印で示した経路（主経路）に主に流れ、図４の破線の矢印で示した経路（副経路）に僅かに流れる。すなわち、磁界停止制御では、永久磁石（22）の磁束（M22）が固定子（20）内でほぼ短絡しているとみなして差し支えない。
【００６６】
また、磁界停止制御において、制御部（3）は、電機子巻線（25）に電機子電流（i25）を供給する。これにより、電機子巻線（25）において回転磁界（回転子（10）を回転させるための磁束）が発生して電機子巻線（25）による回転磁界と永久磁石（22）の磁束（M22）とが回転子（10）と鎖交し、回転子（10）においてトルクが発生する。なお、このトルクは、次の式１で表すことができる。
【００６７】
Ｔ＝Ｐｎ・Φｍａｇ・ｉｑ … ［式１］
【００６８】
なお、式１において、“Ｔ”は回転子（10）に発生するトルクであり、“Ｐｎ”は回転電気機械（2）の極対数であり、“Φｍａｇ”は永久磁石（22）の磁束（M22）の大きさであり、“ｉｑ”は電機子電流（i25）の大きさ（ｑ軸電流の大きさ）である。
【００６９】
また、磁界停止制御では、外側界磁電流（i23）および内側界磁電流（i24）の供給が停止されるので、外側界磁巻線（23）および内側界磁巻線（24）における銅損をゼロにすることができる。
【００７０】
また、磁界停止制御は、回転子（10）の回転トルクが比較的に低く且つ回転子（10）の回転速度が比較的に高くなるように回転電気機械（2）を制御する場合に有用である。
【００７１】
〈内外磁界生成制御〉
図５に示すように、内外磁界生成制御では、制御部（3）は、永久磁石（22）を通過する外側界磁磁束（M23）の向きが永久磁石（22）の磁束方向の逆方向となるように外側界磁電流（i23）を制御し、永久磁石（22）を通過する内側界磁磁束（M24）の向きが永久磁石（22）の磁束方向と同方向となるように内側界磁電流（i24）を制御する。具体的には、制御部（3）は、図５に示すような外側界磁磁束（M23）および内側界磁磁束（M24）が発生するように、外側界磁巻線（23）および内側界磁巻線（24）に外側界磁電流（i23）および内側界磁電流（i24）をそれぞれ供給する。なお、図５では、外側界磁磁束（M23）および内側界磁磁束（M24）の図示を省略して外側界磁磁束（M23）と内側界磁磁束（M24）とを合成して得られる合成磁束（M20）を図示している。
【００７２】
内外磁界生成制御では、外側界磁磁束（M23）と内側界磁磁束（M24）との合成磁束（M20）によって固定子コア（21）の外周部（具体的には界磁スロット（213a）よりも径方向の外側の部分）において磁気飽和を起こすことができる。これにより、永久磁石（22）の磁束（M22）が固定子コア（21）の外周部（具体的には界磁スロット（213a）よりも径方向の外側の部分）に流れにくくなる。その結果、永久磁石（22）の磁束（M22）は、ティース（212）を経由して回転子コア（11）に流れ込みやすくなる。
【００７３】
また、内外磁界生成制御では、永久磁石（22）の磁束（M22）と合成磁束（外側界磁磁束（M23）と内側界磁磁束（M24）との合成磁束（M20））とが回転子（10）を経由して流れて界磁磁束として回転子（10）に作用する。
【００７４】
例えば、固定子コア（21）の第１界磁スロット（213a-1）よりも径方向の外側の部分において磁気飽和が起きると、第１界磁スロット（213a-1）内に配置された第１永久磁石（22-1）の磁束は、第１ティース（212-1）を通過して回転子（10）の第１突部（112-1）に流れ込む。第１突部（112-1）に流れ込んだ第１永久磁石（22-1）の磁束は、第２突部（112-2）を通過して第３ティース（212-3）に流れ込む。第３ティース（212-3）に流れ込んだ第１永久磁石（22-1）の磁束は、固定子コア（21）の外周部（具体的には第１電機子スロット（213b-1）よりも径方向の外側の部分）と第２ティース（212-2）とを順に通過して第１永久磁石（22-1）に戻る。
【００７５】
また、固定子（20）の第２界磁スロット（213a-2）よりも径方向の外側の部分において磁気飽和が起きると、第２永久磁石（22-2）の磁束は、第４ティース（212-4）を通過して固定子コア（21）の外周部（具体的には第２電機子スロット（213b-2）よりも径方向の外側の部分）に流れ込み、その後、第５ティース（212-5）を通過して回転子（10）の第３突部（112-3）に流れ込む。第３突部（112-3）に流れ込んだ第２永久磁石（22-2）の磁束は、第２突部（112-2）を通過して第３ティース（212-3）に流れ込み、その後、第２永久磁石（22-2）に戻る。
【００７６】
また、内外磁界発生制御において、制御部（3）は、電機子巻線（25）に電機子電流（i25）を供給する。これにより、電機子巻線（25）において回転磁界（回転子（10）を回転させるための磁束）が発生して電機子巻線（25）による回転磁界と永久磁石（22）の磁束（M22）とが回転子（10）と鎖交し、回転子（10）においてトルクが発生する。なお、このトルクは、次の式２で表すことができる。
【００７７】
Ｔ＝Ｐｎ（Φｍａｇ＋Φｆ）ｉｑ … ［式２］
【００７８】
なお、式２において、“Ｔ”は回転子（10）に発生するトルクであり、“Ｐｎ”は回転電気機械（2）の極対数であり、“Φｍａｇ”は永久磁石（22）の磁束（M22）の大きさであり、“ｉｑ”は電機子電流（i25）の大きさ（ｑ軸電流の大きさ）であり、“Φｆ”は外側界磁磁束（M23）と内側界磁磁束（M24）との合成磁束（M20）の大きさである。
【００７９】
式２に示すように、内外界磁生成制御では、外側界磁電流（i23）と内側界磁電流（i24）とを制御して外側界磁磁束（M23）と内側界磁磁束（M24）との合成磁束（M20）を制御することにより、回転子（10）において発生するトルクを制御することができる。
【００８０】
例えば、回転子（10）の低速回転時（回転子（10）の回転速度が比較的に低くなっている場合）に外側界磁磁束（M23）と内側界磁磁束（M24）との合成磁束（M20）を増加させることにより、回転子（10）の低速回転時において大きなトルクを出力する強め磁界制御を行うことができる。また、回転子（10）の高速回転時（回転子（10）の回転速度が比較的に高くなっている場合）に外側界磁磁束（M23）と内側界磁磁束（M24）との合成磁束（M20）を減少させることにより、回転子（10）の高速回転時において誘起電圧を調整して回転子（10）の回転速度を上昇させることができる。また、外側界磁磁束（M23）と内側界磁磁束（M24）との合成磁束（M20）を減少させることにより、外側界磁磁束（M23）および内側界磁磁束（M24）における銅損を低減することができる。
【００８１】
また、内外磁界生成制御は、回転子（10）の回転トルクが比較的に高くなるように回転電気機械（2）を制御する場合に有用である。
【００８２】
〈外側磁界生成制御〉
図６に示すように、外側磁界生成制御では、制御部（3）は、永久磁石（22）を通過する外側界磁磁束（M23）の向きが永久磁石（22）の磁束方向の逆方向となるように外側界磁電流（i23）を制御し、内側界磁磁束（M24）が発生しないように内側界磁電流（i24）を制御する。具体的には、制御部（3）は、図６に示すような外側界磁磁束（M23）が発生するように外側界磁巻線（23）に外側界磁電流（i23）を供給し、内側界磁電流（i24）の供給を停止する。
【００８３】
外側磁界生成制御では、外側界磁磁束（M23）によって固定子コア（21）の外周部（具体的には界磁スロット（213a）よりも径方向の外側の部分）において永久磁石（22）の磁束（M22）の通過を妨げて遮断することができるとともに外側界磁電流（i23）の増加に伴って磁気飽和を起こすこともできる。これにより、永久磁石（22）の磁束（M22）が固定子コア（21）の外周部（具体的には界磁スロット（213a）よりも径方向の外側の部分）に流れにくくなる。その結果、永久磁石（22）の磁束（M22）は、ティース（212）を経由して回転子コア（11）に流れ込みやすくなる。
【００８４】
また、外側磁界生成制御では、永久磁石（22）の磁束（M22）と外側界磁磁束（M23）とが回転子（10）を経由して流れて界磁磁束として回転子（10）に作用する。
【００８５】
また、外側磁界発生制御において、制御部（3）は、電機子巻線（25）に電機子電流（i25）を供給する。これにより、電機子巻線（25）において回転磁界（回転子（10）を回転させるための磁束）が発生して電機子巻線（25）による回転磁界と永久磁石（22）の磁束（M22）とが回転子（10）と鎖交し、回転子（10）においてトルクが発生する。なお、このトルクは、次の式３で表すことができる。
【００８６】
Ｔ＝Ｐｎ（Φｍａｇ＋Φｆｏ）ｉｑ … ［式３］
【００８７】
なお、式３において、“Ｔ”は回転子（10）に発生するトルクであり、“Ｐｎ”は回転電気機械（2）の極対数であり、“Φｍａｇ”は永久磁石（22）の磁束（M22）の大きさであり、“ｉｑ”は電機子電流（i25）の大きさ（ｑ軸電流の大きさ）であり、“Φｆｏ”は外側界磁磁束（M23）の大きさである。
【００８８】
式３に示すように、外側界磁生成制御では、外側界磁電流（i23）を制御して外側界磁磁束（M23）を制御することにより、回転子（10）において発生するトルクを制御することができる。
【００８９】
また、外側界磁生成制御では、永久磁石（22）よりも径方向の内側に位置する内側界磁巻線（24）において内側界磁磁束（M24）が発生しないので、永久磁石（22）の磁束（M22）が回転子（10）におけるトルクの発生に寄与しやすくなっている。そのため、回転電気機械（2）を高効率で運転することができる。
【００９０】
また、外側界磁生成制御は、回転子（10）の回転トルクが比較的に低く且つ回転子（10）の回転速度が比較的に低くなるように回転電気機械（2）を制御する場合（具体的には回転子（10）の比較的に低い回転トルクを低損失で発生させ且つ回転子（10）の回転速度が比較的に低くなるように回転電気機械（2）を制御する場合）に有用である。
【００９１】
〈内側磁界生成制御〉
図７に示すように、内側磁界生成制御では、制御部（3）は、外側界磁磁束（M23）が発生しないように外側界磁電流（i23）を制御し、永久磁石（22）を通過する内側界磁磁束（M24）の向きが永久磁石（22）の磁束方向と同方向となるように内側界磁電流（i24）を制御する。具体的には、制御部（3）は、外側界磁電流（i23）の供給を停止し、図７に示すような内側界磁磁束（M24）が発生するように内側界磁巻線（24）に内側界磁電流（i24）を供給する。
【００９２】
内側磁界生成制御では、内側界磁磁束（M24）によって固定子コア（21）の外周部（具体的には界磁スロット（213a）よりも径方向の外側の部分）において永久磁石（22）の磁束（M22）の通過を妨げて遮断することができるとともに内側界磁電流（i24）の増加に伴って磁気飽和を起こすこともできる。これにより、永久磁石（22）の磁束（M22）が固定子コア（21）の外周部（具体的には界磁スロット（213a）よりも径方向の外側の部分）に流れにくくなる。その結果、永久磁石（22）の磁束（M22）は、ティース（212）を経由して回転子コア（10）に流れ込みやすくなる。
【００９３】
また、内側磁界生成制御では、永久磁石（22）の磁束（M22）と内側界磁磁束（M24）とが回転子（10）を経由して流れて界磁磁束として回転子（10）に作用する。
【００９４】
また、内側磁界発生制御において、制御部（3）は、電機子巻線（25）に電機子電流（i25）を供給する。これにより、電機子巻線（25）において回転磁界（回転子（10）を回転させるための磁束）が発生して電機子巻線（25）による回転磁界と永久磁石（22）の磁束（M22）とが回転子（10）と鎖交し、回転子（10）においてトルクが発生する。なお、このトルクは、次の式４で表すことができる。
【００９５】
Ｔ＝Ｐｎ（Φｍａｇ＋Φｆｉ）ｉｑ … ［式４］
【００９６】
なお、式４において、“Ｔ”は回転子（10）に発生するトルクであり、“Ｐｎ”は回転電気機械（2）の極対数であり、“Φｍａｇ”は永久磁石（22）の磁束（M22）の大きさであり、“ｉｑ”は電機子電流（i25）の大きさ（ｑ軸電流の大きさ）であり、“Φｆｉ”は内側界磁磁束（M24）の大きさである。
【００９７】
式４に示すように、内側界磁生成制御では、内側界磁電流（i24）を制御して内側界磁磁束（M24）を制御することにより、回転子（10）において発生するトルクを制御することができる。
【００９８】
また、内側界磁生成制御では、内側界磁磁束（M24）が永久磁石（22）に対して順磁界として作用するので、永久磁石（22）において内側界磁磁束（M24）による減磁は、発生しない。そのため、内側界磁電流（i24）を広範囲に制御することができるので、回転子（10）において発生するトルクを広範囲に制御することができる。例えば、内側界磁電流（i24）を最大許容電流に設定して回転子（10）において発生するトルクを最大にすることができる。
【００９９】
また、内側界磁生成制御は、回転子（10）の回転トルクが比較的に高くなるように回転電気機械（2）を制御する場合に有用である。特に、内側界磁生成制御は、永久磁石（22）の温度が比較的に高くなっている場合（すなわち永久磁石（22）において減磁が発生する可能性がある場合）に有用である。
【０１００】
〈順磁界生成制御〉
図８に示すように、順磁界生成制御では、制御部（3）は、永久磁石（22）を通過する外側界磁磁束（M23）の向きが永久磁石（22）の磁束方向と同方向となるように外側界磁電流（i23）を制御し、永久磁石（22）を通過する内側界磁磁束（M24）の向きが永久磁石（22）の磁束方向と同方向となるように内側界磁電流（i24）を制御する。具体的には、制御部（3）は、図８に示すような外側界磁磁束（M23）および内側界磁磁束（M24）が発生するように、外側界磁巻線（23）および内側界磁巻線（24）に外側界磁電流（i23）および内側界磁電流（i24）をそれぞれ供給する。なお、図８では、外側界磁磁束（M23）と内側界磁磁束（M24）との合成磁束（M20）の図示を省略している。
【０１０１】
順磁界生成制御では、外側界磁磁束（M23）と内側界磁磁束（M24）との合成磁束（M20）によって固定子コア（21）の外周部（具体的には界磁スロット（213a）よりも径方向の外側の部分）において永久磁石（22）の磁束（M22）の通過を妨げて遮断することができる。これにより、永久磁石（22）の磁束（M22）が固定子コア（21）の外周部（具体的には界磁スロット（213a）よりも径方向の外側の部分）に流れにくくなる。その結果、永久磁石（22）の磁束（M22）は、ティース（212）を経由して回転子コア（11）に流れ込みやすくなる。
【０１０２】
また、順磁界生成制御では、永久磁石（22）の磁束（M22）と合成磁束（外側界磁磁束（M23）と内側界磁磁束（M24）との合成磁束（M20））とが回転子（10）を経由して流れて界磁磁束として回転子（10）に作用する。
【０１０３】
また、順磁界生成制御において、制御部（3）は、電機子巻線（25）に電機子電流（i25）を供給する。これにより、電機子巻線（25）において回転磁界（回転子（10）を回転させるための磁束）が発生して電機子巻線（25）による回転磁界と永久磁石（22）の磁束（M22）とが回転子（10）と鎖交し、回転子（10）においてトルクが発生する。なお、このトルクは、前述の式２で表すことができる。
【０１０４】
前述の式２に示すように、順磁界生成制御では、外側界磁電流（i23）と内側界磁電流（i24）とを制御して外側界磁磁束（M23）と内側界磁磁束（M24）との合成磁束（M20）を制御することにより、回転子（10）において発生するトルクを制御することができる。
【０１０５】
また、順磁界生成制御では、外側界磁磁束（M23）および内側界磁磁束（M24）の両方が永久磁石（22）に対して順磁界として作用するので、永久磁石（22）に順磁界（比較的に大きな順磁界）を印加することができる。これにより、永久磁石（22）を着磁することができる。
【０１０６】
〈逆磁界生成制御〉
図９に示すように、逆磁界生成制御では、制御部（3）は、永久磁石（22）を通過する外側界磁磁束（M23）の向きが永久磁石（22）の磁束方向の逆方向となるように外側界磁電流（i23）を制御し、永久磁石（22）を通過する内側界磁磁束（M24）の向きが永久磁石（22）の磁束方向の逆方向となるように内側界磁電流（i24）を制御する。具体的には、制御部（3）は、図９に示すような外側界磁磁束（M23）および内側界磁磁束（M24）が発生するように、外側界磁巻線（23）および内側界磁巻線（24）に外側界磁電流（i23）および内側界磁電流（i24）をそれぞれ供給する。なお、図９では、外側界磁磁束（M23）と内側界磁磁束（M24）との合成磁束（M20）の図示を省略している。
【０１０７】
逆磁界生成制御では、外側界磁磁束（M23）と内側界磁磁束（M24）との合成磁束（M20）によって固定子コア（21）の外周部（具体的には界磁スロット（213a）よりも径方向の外側の部分）において磁気飽和を起こすことができる。これにより、永久磁石（22）の磁束（M22）が固定子コア（21）の外周部（具体的には界磁スロット（213a）よりも径方向の外側の部分）に流れにくくなる。その結果、永久磁石（22）の磁束（M22）は、ティース（212）を経由して回転子コア（11）に流れ込みやすくなる。
【０１０８】
また、逆磁界生成制御では、永久磁石（22）の磁束（M22）と合成磁束（外側界磁磁束（M23）と内側界磁磁束（M24）との合成磁束（M20））とが回転子（10）を経由して流れて界磁磁束として回転子（10）に作用する。
【０１０９】
また、逆磁界生成制御において、制御部（3）は、電機子巻線（25）に電機子電流（i25）を供給する。これにより、電機子巻線（25）において回転磁界（回転子（10）を回転させるための磁束）が発生して電機子巻線（25）による回転磁界と永久磁石（22）の磁束（M22）とが回転子（10）と鎖交し、回転子（10）においてトルクが発生する。なお、このトルクは、前述の式２で表すことができる。
【０１１０】
前述の式２に示すように、逆磁界生成制御では、外側界磁電流（i23）と内側界磁電流（i24）とを制御して外側界磁磁束（M23）と内側界磁磁束（M24）との合成磁束（M20）を制御することにより、回転子（10）において発生するトルクを制御することができる。
【０１１１】
また、逆磁界生成制御では、外側界磁磁束（M23）および内側界磁磁束（M24）の両方が永久磁石（22）に対して逆磁界として作用するので、永久磁石（22）に逆磁界（比較的に大きな逆磁界）を印加することができる。これにより、永久磁石（22）の磁束（M22）を弱めることができる。例えば、逆磁界生成制御を行うことによって、ｄ軸電流を流し続けることなく弱め界磁制御を行うことができる。
【０１１２】
また、逆磁界生成制御は、回転子（10）の回転トルクが比較的に低く且つ回転子（10）の回転速度が比較的に高くなるように回転電気機械（2）を制御する場合に有用である。
【０１１３】
〔制御部の動作〕
次に、図１０を参照して、制御部（3）の動作について説明する。この例では、制御部（3）は、回転電気機械（2）の運転状態に応じて外側界磁電流（i23）と内側界磁電流（i24）とを個別に制御するように構成されている。すなわち、制御部（3）は、回転電気機械（2）の運転状態に応じて各種の制御を切り換えて行うように構成されている。例えば、制御部（3）は、以下の処理を行う。
【０１１４】
〈ステップ（ST11）〉
まず、制御部（3）は、回転子（10）の回転トルク（具体的には回転トルク指令、以下同様）と回転速度を取得する。また、制御部（3）は、永久磁石（22）の温度を取得する。例えば、制御部（3）は、回転子（10）の回転速度を検出するように構成された回転速度センサ（図示を省略）の検出結果に基づいて回転子（10）の回転速度を取得する。また、制御部（3）は、永久磁石（22）の温度を検出するように構成された温度センサ（図示を省略）の検出結果に基づいて永久磁石（22）の温度を取得する。
【０１１５】
〈ステップ（ST12）〉
次に、制御部（3）は、回転子（10）の回転トルクが予め定められた回転トルク閾値を上回るか否かを判定する。回転子（10）の回転トルクが回転トルク閾値を上回る場合には、ステップ（ST13）へ進み、そうでない場合には、ステップ（ST16）へ進む。
【０１１６】
〈ステップ（ST13）〉
回転子（10）の回転トルクが回転トルク閾値を上回る場合、制御部（3）は、永久磁石（22）の温度が予め定められた温度閾値を上回るか否かを判定する。なお、温度閾値は、永久磁石（22）において減磁が発生しないとみなせるときの永久磁石（22）の温度に設定されている。永久磁石（22）の温度が温度閾値を上回る場合（すなわち永久磁石（22）において減磁が発生する可能性がある場合）には、ステップ（ST14）へ進み、そうでない場合には、ステップ（ST15）へ進む。
【０１１７】
〈ステップ（ST14）〉
回転子（10）の回転トルクが回転トルク閾値を上回り、且つ、永久磁石（22）の温度が温度閾値を上回る場合、制御部（3）は、内側磁界生成制御を行う。なお、内側界磁生成制御は、回転子（10）の回転トルクが比較的に高くなるように回転電気機械（2）を制御する場合に有用である。さらに、内側界磁生成制御は、永久磁石（22）の温度が比較的に高くなっている場合（すなわち永久磁石（22）において減磁が発生する可能性がある場合）に有用である。したがって、内側磁界生成制御を効果的に行うことができる。
【０１１８】
〈ステップ（ST15）〉
一方、回転子（10）の回転トルクが回転トルク閾値を上回り、且つ、永久磁石（22）の温度が温度閾値を上回らない場合、制御部（3）は、内外磁界生成制御を行う。なお、内外磁界生成制御は、回転子（10）の回転トルクが比較的に高くなるように回転電気機械（2）を制御する場合に有用である。したがって、内外磁界生成制御を効果的に行うことができる。
【０１１９】
〈ステップ（ST16）〉
また、ステップ（ST12）において回転子（10）の回転トルクが回転トルク閾値を上回らないと判定された場合、制御部（3）は、回転子（10）の回転速度が予め定められた回転速度閾値を上回るか否かを判定する。回転子（10）の回転速度が回転速度閾値を上回る場合には、ステップ（ST17）へ進み、そうでない場合には、ステップ（ST18）へ進む。
【０１２０】
〈ステップ（ST17）〉
回転子（10）の回転トルクが回転トルク閾値を下回り、且つ、回転子（10）の回転速度が回転速度閾値を上回る場合、制御部（3）は、逆磁界生成制御を行う。なお、逆磁界生成制御は、回転子（10）の回転トルクが比較的に低く且つ回転子（10）の回転速度が比較的に高くなるように回転電気機械（2）を制御する場合に有用である。したがって、逆磁界生成制御を効果的に行うことができる。なお、ステップ（ST17）において、逆磁界生成制御の代わりに、磁界停止制御が行われてもよい。
【０１２１】
〈ステップ（ST18）〉
一方、回転子（10）の回転トルクが回転トルク閾値を下回り、且つ、回転子（10）の回転速度が回転速度閾値を下回る場合、制御部（3）は、外側磁界生成制御を行う。なお、外側界磁生成制御は、回転子（10）の回転トルクが比較的に低く且つ回転子（10）の回転速度が比較的に低くなるように回転電気機械（2）を制御する場合に有用である。したがって、外側界磁生成制御を効果的に行うことができる。なお、ステップ（ST18）において、外側界磁生成制御の代わりに、磁界停止制御が行われてもよい。
【０１２２】
〔実施形態による効果〕
以上のように、固定子（20）に永久磁石（22）と外側界磁巻線（23）と内側界磁巻線（24）とを設けて外側界磁巻線（23）に供給される外側界磁電流（i23）と内側界磁巻線（24）に供給される内側界磁電流（i24）とを個別に制御することにより、固定子（20）に永久磁石（22）と１種類の界磁巻線とが設けられている場合（例えば特許文献１の場合）よりも、回転電気機械（2）における制御の自由度を向上させることができる。これにより、回転電気機械（2）の制御を多様化させることができる。
【０１２３】
また、回転電気機械（2）の運転状態に応じて外側界磁電流（i23）と内側界磁電流（i24）とを個別に適切に制御することができる。これにより、回転電気機械（2）を適切に制御することができる。
【０１２４】
（制御部の変形例）
図１１に示すように、制御部（3）において、電源（31）は、図３に示した外側界磁電源部（311）と内側界磁電源部（312）とに代えて、内外界磁電源部（300）を有していてもよい。内外界磁電源部（300）は、共通電源部（310）と外側界磁スイッチ（S1）と内側界磁スイッチ（S2）とを有している。
【０１２５】
共通電源部（310）は、直流電流を供給するように構成されている。この例では、共通電源部（310）の一方の端子と他方の端子との間に外側界磁巻線（23）と内側界磁巻線（24）が直列に接続されている。具体的には、共通電源部（310）の一方の端子から他方の端子へ向けて１２個の外側界磁巻線（23）と１２個の内側界磁巻線（24）とが順に接続されている。
【０１２６】
外側界磁スイッチ（S1）は、その一端が共通電源部（310）の一方の端子に接続され、その他端が外側界磁巻線（23）と内側界磁巻線（24）との接続部に接続され、制御回路（32）による制御に応答して共通電源部（310）の一方の端子を外側界磁巻線（23）と内側界磁巻線（24）との接続部に短絡させる状態（オン状態）と短絡させない状態（オフ状態）とに切り換えるように構成されている。共通電源部（310）の一方の端子を外側界磁巻線（23）と内側界磁巻線（24）との接続部に短絡させると、外側界磁巻線（23）に直流電流（外側界磁電流（i23）となる直流電流）が流れないようになる。
【０１２７】
内側界磁スイッチ（S2）は、その一端が外側界磁巻線（23）と内側界磁巻線（24）との接続部に接続され、その他端が共通電源部（310）の他方の端子に接続され、制御回路（32）による制御に応答して共通電源部（310）の他方の端子を外側界磁巻線（23）と内側界磁巻線（24）との接続部に短絡させる状態（オン状態）と短絡させない状態（オフ状態）とに切り換えるように構成されている。共通電源部（310）の他方の端子を外側界磁巻線（23）と内側界磁巻線（24）との接続部に短絡させると、内側界磁巻線（24）に直流電流（内側界磁電流（i24）となる直流電流）が流れないようになる。
【０１２８】
以上のように構成した場合も、制御部（3）は、外側界磁電流（i23）と内側界磁電流（i24）とを個別に制御することができる。
【０１２９】
（その他の実施形態）
なお、図４〜図９に示した各種の磁束（具体的には永久磁石（22）の磁束（M22）と外側界磁磁束（M23）と内側界磁磁束（M24））の流れは、あくまで一例であり、回転子（10）の回転位置（突部（112）の位置）に応じて各種の磁束経路（磁束が流れる経路）が異なり得る。ただし、回転子（10）の回転位置が変化しても各種の磁束は、回転子（10）を経由して流れて界磁磁束として回転子（10）に作用する。
【０１３０】
また、以上の説明では、回転電気機械（2）が電動機を構成する場合を例に挙げたが、回転電気機械（2）は、発電機を構成するものであってもよい。
【０１３１】
また、永久磁石（22）に重希土類元素が含まれている場合を例に挙げたが、永久磁石（22）は、重希土類元素を含まない磁石材料によって構成されていてもよい。
【０１３２】
また、以上の実施形態および変形例を適宜組み合わせて実施してもよい。以上の実施形態および変形例は、本質的に好ましい例示であって、この発明、その適用物、あるいはその用途の範囲を制限することを意図するものではない。
【産業上の利用可能性】
【０１３３】
以上説明したように、上述の回転電気機械装置は、電動機や発電機などの回転電気機械を備えた装置として有用である。
【符号の説明】
【０１３４】
１          回転電気機械装置
２          回転電気機械
３          制御部
１０        回転子
１１        回転子コア
１２        駆動軸
２０        固定子
２１        固定子コア
２２        永久磁石
２３        外側界磁巻線
２４        内側界磁巻線
２５        電機子巻線
３１        電源
３２        制御回路
２１１      固定子ヨーク
２１２      ティース
２１２ａ    界磁ティース
２１２ｂ    電機子ティース
２１３      スロット
２１３ａ    界磁スロット
２１３ｂ    電機子スロット
【図１】
2018174645.tif 000003
【図２】
2018174645.tif 000004
【図３】
2018174645.tif 000005
【図４】
2018174645.tif 000006
【図５】
2018174645.tif 000007
【図６】
2018174645.tif 000008
【図７】
2018174645.tif 000009
【図８】
2018174645.tif 000010
【図９】
2018174645.tif 000011
【図１０】
2018174645.tif 000012
【図１１】
2018174645.tif 000013